(57)【要約】      （修正有）【課題】原稿中の複数の興味のある部分を、整列させて記録紙に印刷することが可能となる画像形成装置を提供する。【解決手段】原稿画像を読み取り、原稿内における特定色によって範囲指定された部分を認識する第１手段、および第１手段によって認識された各範囲指定部分を整列させて印刷させる第２手段を備えている。第２手段は、左づめモードが設定されている場合に、第１手段によって認識された各範囲指定部分を記録紙の左側に上下方向に整列させて印刷させる手段、センターモードが設定されている場合に、第１手段によって認識された各範囲指定部分を記録紙の左右中央に上下方向に整列させて印刷させる手段、および右づめモードが設定されている場合に、第１手段によって認識された各範囲指定部分を記録紙の右側に上下方向に整列させて印刷させる手段を備えている。【選択図】図１
2006180425.tif 000002
【特許請求の範囲】
【請求項１】
原稿画像を読み取り、原稿内における特定色によって範囲指定された部分を認識する第１手段、および
第１手段によって認識された各範囲指定部分を整列させて印刷させる第２手段、
を備えていることを特徴とする画像形成装置。
【請求項２】
範囲指定部分を整列させるモードを、左づめモード、センターモードおよび右づめモードのうちから選択して設定させるための設定手段を備えており、上記第２手段は、左づめモードが設定されている場合に、第１手段によって認識された各範囲指定部分を記録紙の左側に上下方向に整列させて印刷させる手段、センターモードが設定されている場合に、第１手段によって認識された各範囲指定部分を記録紙の左右中央に上下方向に整列させて印刷させる手段、および右づめモードが設定されている場合に、第１手段によって認識された各範囲指定部分を記録紙の右側に上下方向に整列させて印刷させる手段を備えていることを特徴とする請求項１に記載の画像形成装置。
【発明の詳細な説明】
【技術分野】
【０００１】
この発明は、複写機、デジタル複合機等のスキャナ機能を備えた画像形成装置に関する。
【背景技術】
【０００２】
複写機として、原稿内の必要部分のみを特定色の色ペンで囲むことにより範囲指定し、範囲指定された部分のみを複写する機能を備えたものがある（特開２００２−４０８７４号公報参照）。この種の複写機においては、１枚の原稿中に複数の箇所が範囲指定された場合、範囲指定された複数の部分が、１枚の記録紙に印刷される。
【０００３】
原稿中の複数の興味のある部分を抜き出して整理したい場合には、それらの複数の部分を部分毎に別々の記録紙に印刷できれば便利である。
【特許文献１】特開２００２−５７８５５号公報
【特許文献２】特開２００２−４０８７４号公報
【特許文献３】特開平８−２９３０１７号公報
【発明の開示】
【発明が解決しようとする課題】
【０００４】
この発明は、原稿中の複数の興味のある部分を、整列させて記録紙に印刷することが可能となる画像形成装置を提供することを目的とする。
【課題を解決するための手段】
【０００５】
請求項１に記載の発明は、原稿画像を読み取り、原稿内における特定色によって範囲指定された部分を認識する第１手段、および第１手段によって認識された各範囲指定部分を整列させて印刷させる第２手段を備えていることを特徴とする。
【０００６】
請求項２に記載の発明は、請求項１に記載の発明において、範囲指定部分を整列させるモードを、左づめモード、センターモードおよび右づめモードのうちから選択して設定させるための設定手段を備えており、上記第２手段は、左づめモードが設定されている場合に、第１手段によって認識された各範囲指定部分を記録紙の左側に上下方向に整列させて印刷させる手段、センターモードが設定されている場合に、第１手段によって認識された各範囲指定部分を記録紙の左右中央に上下方向に整列させて印刷させる手段、および右づめモードが設定されている場合に、第１手段によって認識された各範囲指定部分を記録紙の右側に上下方向に整列させて印刷させる手段を備えていることを特徴とする。
【発明の効果】
【０００７】
この発明によれば、原稿中の複数の興味のある部分を、整列させて記録紙に印刷することが可能となる。
【発明を実施するための最良の形態】
【０００８】
以下、図面を参照して、この発明を複写機に適用した場合の実施例について説明する。
【実施例１】
【０００９】
〔１〕デジタル複写機の概略構成についての説明
図１は、デジタル複写機の概略構成を示している。
【００１０】
デジタル複写機は、スキャナ部１０と、画像処理部を含む制御部２０と、ハードディスク（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備えている。
【００１１】
画像形成部４０は、レーザスキャンユニット（ＬＳＵ）４１と、感光体ドラム等を含む静電複写機構とを備えている。ユーザ操作部５０は、テンキー、スタートボタン、割り込ボタン等の各種キーを含むキー入力部５１と、タッチパネル付きの液晶表示部５２と、ＬＥＤ表示部５３とを備えている。
【００１２】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１３】
この複写機は、ＨＤＤ３０に格納された画像データのうち、原稿に特定の色で囲まれた部分（範囲指定された部分）のみの画像データを抽出して、印刷させる機能を備えている。原稿に特定の色で囲まれた部分のみの画像データを抽出するための処理は、制御部２０によって行われる。なお、このような抽出処理は、特開２００２−４０８７４号公報に開示されているように周知であるので、その説明を省略する。このような複写モードを切り抜き複写モードということにする。切り抜き複写モードにおいては、範囲指定されている部分を位置を変えずに記録紙に印刷する第１切り抜き複写モードと、範囲指定されている部分を整列させて記録紙に印刷する第２切り抜き複写モードとがある。第２切り抜き複写モードには、範囲指定部分を記録紙の左側に上下方向に整列させる左づめモード、記録紙の中央に上下方向に整列させるセンターモードおよび記録紙の右側に上下方向に整列される右づめモードがある。
【００１４】
〔２〕切り抜き複写モード時の複写機の動作についての説明
図２は、切り抜き複写モード時の複写機の動作を示している。
【００１５】
ユーザによって切り抜き複写モード設定が行われる（ステップＳ１）。この切り抜き複写モード設定では、まず、第１切り抜き複写モードまたは第２切り抜き複写モードの設定が行われる。そして、第２切り抜き複写モードを設定した場合には、左づめモード、センターモードおよび右づめモードの設定が行われる。
【００１６】
切り抜き複写モード設定が行わた際には、設定されたモードに応じてフラグ値Ｆが設定される（ステップＳ２）。具体的には、第１切り抜き複写モードが設定された場合には、フラグ値Ｆは”００”に設定される。第２切り抜き複写モードの左づめモードが設定された場合には、フラグ値Ｆは”１０”に設定される。第２切り抜き複写モードのセンターモードが設定された場合には、フラグ値Ｆは”１１”に設定される。第２切り抜き複写モードの右づめモードが設定された場合には、フラグ値Ｆは”０１”に設定される。
【００１７】
この後、スタートボタンが押されると（ステップＳ３）、原稿の読み取りを行う（ステップＳ４）。なお、原稿にはユーザが印刷したい部分が特定の色で囲まれることによって、印刷したい部分の範囲指定が行われている。
【００１８】
次に、読み取られた画像から、範囲指定された部分を認識する（ステップＳ５）。そして、範囲指定部分以外の部分を白画像に置き換えた画像をメモリ上に生成する（ステップＳ６）。次に、フラグ値Ｆが”００”であるか否かを判別する（ステップＳ７）。フラグ値Ｆが”００”である場合には、つまり、切り抜き複写モードが第１切り抜き複写モードである場合には、上記ステップＳ７で生成された画像（範囲指定部分以外の部分を白画像に置き換えた画像）を記録紙に印刷する（ステップＳ８）。
【００１９】
ステップＳ７において、フラグ値Ｆが”００”でない場合には、つまり、切り抜き複写モードが第２切り抜き複写モードである場合には、フラグ値Ｆが”１０”であるか否かを判別する（ステップＳ９）。フラグ値Ｆが”１０”である場合には、つまり、切り抜き複写モードが第２切り抜き複写モードの左づめモードである場合には、各範囲指定部分の印刷ページ（何頁目の記録紙に印刷するか）および左づめモードに応じた印刷位置を決定する（ステップＳ１０）。ステップＳ１０の印刷位置決定処理については、後述する。そして、ステップＳ１０で決定された印刷ページおよび印字位置に基づいて、範囲指定部分の印刷を実行する（ステップＳ１１）。
【００２０】
上記ステップＳ９において、フラグ値Ｆが”１０”でない場合には、フラグ値Ｆが”１１”であるか否かを判別する（ステップＳ１２）。フラグ値Ｆが”１１”である場合には、つまり、切り抜き複写モードが第２切り抜き複写モードのセンターモードである場合には、各範囲指定部分の印刷ページおよびセンターモードに応じた印刷位置を決定する（ステップＳ１３）。ステップＳ１３の印刷位置決定処理については、後述する。そして、ステップＳ１３で決定された印刷ページおよび印字位置に基づいて、範囲指定部分の印刷を実行する（ステップＳ１４）。
【００２１】
上記ステップＳ１２において、フラグ値Ｆが”１１”でない場合には、つまり、切り抜き複写モードが第２切り抜き複写モードの右づめモードである場合には、各範囲指定部分の印刷ページおよび右づめモードに応じた印刷位置を決定する（ステップＳ１５）。ステップＳ１５の印刷位置決定処理については、後述する。そして、ステップＳ１５で決定された印刷ページおよび印字位置に基づいて、範囲指定部分の印刷を実行する（ステップＳ１６）。
【００２２】
〔３〕上記ステップＳ１０の左づめモードでの印刷位置決定処理についての説明
上記ステップＳ１０の左づめモードでの印刷位置決定処理について説明する。上記ステップＳ６で生成された画像、つまり、範囲指定部分以外の部分を白画像に置き換えた画像が、例えば、図３にＧで示すような画像であるとする。
【００２３】
各範囲指定部分Ａ〜Ｅについて、その輪郭に外接する矩形を決定する。図３では、決定された外接矩形を破線で示している。各範囲指定部分Ａ〜Ｅ毎に、各範囲指定部分Ａ〜Ｅに対応する外接矩形の左上頂点と右下頂点の座標を記憶する。
【００２４】
第２切り抜き複写モードで各範囲指定部分を整列させるのに必要な記録紙の上部余白Ｕ、記録紙の下部余白Ｄおよび上下に隣り合う範囲指定部分の配置間隔Ｈは予め設定されている。また、左づめモードで各範囲指定部分を整列させる場合に必要な左余白Ｌも予め設定されている。
【００２５】
まず、各範囲指定部分Ａ〜Ｅの外接矩形の左上頂点に基づいて、各範囲指定部分Ａ〜Ｆの上下方向の配置順序を決定する。つまり、基本的には、左上頂点が上側にあるものほど、上側に配置するように各範囲指定部分Ａ〜Ｆの上下方向の配置順序を決定する。ただし、左上頂点の高さ位置が同じである範囲指定部分が複数存在する場合には、左上頂点が左側にあるものほど、上側に配置させるように配置順序を決定する。図３の画像Ｇの例では、上側から配置されるものから順に、Ａ，Ｂ，Ｃ，Ｄ，Ｅの順番となったとする。
【００２６】
次に、上部余白Ｕ、下部余白Ｄ、上下に隣り合う範囲指定部分の配置間隔Ｗ、記録紙のサイズ（上下方向の長さ）、各範囲指定部分Ａ〜Ｆの外接矩形の左上頂点および右下頂点座標から得られる各範囲指定部分Ａ〜Ｅの外接矩形の上下方向長さならびに各範囲指定部分の上下方向の配置順序に基づいて、１枚目（１頁目）の記録紙に記録できる範囲指定部分を決定する。つまり、記録紙の上下方向の長さから上部余白Ｕおよび下部余白Ｄを差し引いた長さが、その記録紙の上下方向の記録可能範囲である。そして、各範囲指定部分の上下方向の配置順序、各範囲指定部分の外接矩形の上下方向長さおよび配置間隔Ｗとに基づいて、各範囲指定部分のうち、記録紙の上下方向の記録可能範囲内に、記録できる範囲指定部分を決定する。
【００２７】
１枚目（１頁目）の記録紙に全ての範囲指定部分が記録できない場合には、同様な方法で、残りの範囲指定部分のうち、２枚目（２頁目）の記録紙に記録できる範囲指定部分を決定する。そして、上下方向の配置順序の最後の範囲指定部分が記録される頁が確定するまで、同様な処理を繰り返す。
【００２８】
図３の画像Ｇの例では、１枚目の記録紙に３つの範囲指定部分Ａ，Ｂ，Ｃを印刷し、２枚目の記録紙に２つの範囲指定部分Ｃ，Ｄを印刷すると決定されたとする。
【００２９】
次に、各頁の記録紙毎に、その記録紙に記録される各範囲指定部分の左上頂点および右下頂点の座標、配置間隔Ｗおよび左余白Ｌに基づいて、その記録紙に記録される各範囲指定部分の印刷位置（各範囲指定部分の外接矩形の左上頂点に対応する印刷位置）を決定する。
【００３０】
この例では、１頁目の記録紙には、３つの範囲指定部分Ａ〜Ｅが記録されるので、まず、範囲指定部分Ａの外接矩形の左上頂点に対応する印刷位置を、記録紙の左上頂点から上部余白Ｕだけ下側でかつ左余白Ｌだけ右側の位置に決定する。次に、範囲指定部分Ｂのの外接矩形の左上頂点に対応する印刷位置を、範囲指定部分Ａの外接矩形の左上頂点に対応する印刷位置から範囲指定部分Ａの外接矩形の上下方向の長さに配置間隔Ｗを加えた長さだけ下側の位置に決定する。次に、範囲指定部分Ｃの外接矩形の左上頂点に対応する印刷位置を、範囲指定部分Ｂの外接矩形の左上頂点に対応する印刷位置から範囲指定部分Ｂの外接矩形の上下方向の長さに配置間隔Ｗを加えた長さだけ下側の位置に決定する。
【００３１】
２枚目の記録紙に印刷される範囲指定部分Ｄ，Ｅの印刷位置についても、同様にして決定される。
【００３２】
なお、上記ステップＳ１１では、上記ステップＳ６で生成された画像（範囲指定部分以外の部分を白画像に置き換えた画像）から、各範囲指定部分の外接矩形で規定される領域（矩形領域）を抽出し、抽出した各矩形領域を上記ステップＳ１０によって決定された対応する印刷頁の対応する印刷位置に印刷する。
【００３３】
上記ステップＳ６で生成された画像が例えば、図３に示すような画像Ｇであるとすると、左づめモードで切り抜き複写を行ったときには、図３にＰ１で示すような１頁の印刷結果と、図３にＰ２で示すような２頁の印刷結果とが得られる。
【００３４】
〔４〕上記ステップＳ１３のセンターモードでの印刷位置決定処理についての説明
上記ステップＳ１３のセンターモードでの印刷位置決定処理について説明する。上記ステップＳ６で生成された画像（範囲指定部分以外の部分を白画像に置き換えた画像）が例えば、図３にＧで示すような画像であるとする。
【００３５】
まず、上記ステップＳ１０の印刷位置決定処理と同じ方法で、各範囲指定部分Ａ〜Ｅの上下方向の配置順序と、各範囲指定部分Ａ〜Ｅが印刷される記録紙の頁を決定する。
【００３６】
この例では、各範囲指定部分Ａ〜Ｅの上下方向の配置順序が、上側から配置されるものから順に、Ａ，Ｂ，Ｃ，Ｄ，Ｅの順番に決定されたとする。また、１枚目の記録紙に３つの範囲指定部分Ａ，Ｂ，Ｃを印刷し、２枚目の記録紙に２つの範囲指定部分Ｃ，Ｄを印刷すると決定されたとする。
【００３７】
センターモードで各範囲指定部分を整列させる場合に必要な記録紙のセンター位置Ｓは予め設定されている。次に、各頁の記録紙毎に、その記録紙に記録される各範囲指定部分の左上頂点および右下頂点の座標、配置間隔Ｗおよび記録紙のセンター位置Ｓに基づいて、その記録紙に記録される各範囲指定部分の印刷位置（各範囲指定部分の外接矩形の左上頂点に対応する印刷位置）を決定する。
【００３８】
以下の説明においては、各範囲指定部分の外接矩形の上辺の幅中央の点をその範囲指定部分の基準点ということにする。
【００３９】
この例では、１頁目の記録紙には、３つの範囲指定部分Ａ〜Ｃが記録されるので、まず、範囲指定部分Ａの基準点の印刷位置を、記録紙の上端から上部余白Ｕだけ下側でかつ記録紙のセンター位置Ｓに合致する位置に決定する。そして、得られた範囲指定部分Ａの基準点の印刷位置から、範囲指定部分Ａの外接矩形の左右長さの半分の長さだけ左側の位置を、範囲指定部分Ａの外接矩形の左上頂点に対応する印刷位置として決定する。
【００４０】
次に、範囲指定部分Ｂの基準点の印刷位置を、範囲指定部分Ａの基準点の印刷位置から範囲指定部分Ａの外接矩形の上下方向の長さに配置間隔Ｗを加えた長さだけ下側の位置に決定する。そして、得られた範囲指定部分Ｂの基準点の印刷位置から、範囲指定部分Ｂの外接矩形の左右長さの半分の長さだけ左側の位置を、範囲指定部分Ｂの外接矩形の左上頂点に対応する印刷位置として決定する。
【００４１】
次に、範囲指定部分Ｃの基準点の印刷位置を、範囲指定部分Ｂの基準点の印刷位置から範囲指定部分Ｂの外接矩形の上下方向の長さに配置間隔Ｗを加えた長さだけ下側の位置に決定する。そして、得られた範囲指定部分Ｃの基準点の印刷位置から、範囲指定部分Ｃの外接矩形の左右長さの半分の長さだけ左側の位置を、範囲指定部分Ｃの外接矩形の左上頂点に対応する印刷位置として決定する。
【００４２】
２枚目の記録紙に印刷される範囲指定部分Ｄ，Ｅの印刷位置についても、同様にして決定される。
【００４３】
なお、上記ステップＳ１４では、上記ステップＳ６で生成された画像（範囲指定部分以外の部分を白画像に置き換えた画像）から、各範囲指定部分の外接矩形で規定される領域（矩形領域）を抽出し、抽出した各矩形領域を上記ステップＳ１３によって決定された対応する印刷頁の対応する印刷位置に印刷する。
【００４４】
上記ステップＳ６で生成された画像が例えば、図３に示すような画像Ｇであるとすると、センターモードで切り抜き複写を行ったときには、図４にＰ１で示すような１頁の印刷結果と、図４にＰ２で示すような２頁の印刷結果とが得られる。
【００４５】
〔５〕上記ステップＳ１５の右づめモードでの印刷位置決定処理についての説明
上記ステップＳ１５の右づめモードでの印刷位置決定処理について説明する。上記ステップＳ６で生成された画像（範囲指定部分以外の部分を白画像に置き換えた画像）が例えば、図３にＧで示すような画像であるとする。
【００４６】
まず、上記ステップＳ１０の印刷位置決定処理と同じ方法で、各範囲指定部分Ａ〜Ｅの上下方向の配置順序と、各範囲指定部分Ａ〜Ｅが印刷される記録紙の頁を決定する。
【００４７】
この例では、各範囲指定部分Ａ〜Ｅの上下方向の配置順序が、上側から配置されるものから順に、Ａ，Ｂ，Ｃ，Ｄ，Ｅの順番に決定されたとする。また、１枚目の記録紙に３つの範囲指定部分Ａ，Ｂ，Ｃを印刷し、２枚目の記録紙に２つの範囲指定部分Ｃ，Ｄを印刷すると決定されたとする。
【００４８】
右づめモードで各範囲指定部分を整列させる場合に必要な記録紙の右余白Ｒは予め設定されている。次に、各頁の記録紙毎に、その記録紙に記録される各範囲指定部分の左上頂点および右下頂点の座標、配置間隔Ｗおよび記録紙の右余白Ｒに基づいて、その記録紙に記録される各範囲指定部分の印刷位置（各範囲指定部分の外接矩形の左上頂点に対応する印刷位置）を決定する。
【００４９】
以下の説明においては、各範囲指定部分の外接矩形の右上頂点をその範囲指定部分の基準点ということにする。
【００５０】
この例では、１頁目の記録紙には、３つの範囲指定部分Ａ〜Ｃが記録されるので、まず、範囲指定部分Ａの基準点の印刷位置を、記録紙の右上頂点から上部余白Ｕだけ下側でかつ右余白Ｒだけ左側の位置に決定する。そして、得られた範囲指定部分Ａの基準点の印刷位置から、範囲指定部分Ａの外接矩形の左右長さだけ左側の位置を、範囲指定部分Ａの外接矩形の左上頂点に対応する印刷位置として決定する。
【００５１】
次に、範囲指定部分Ｂの基準点の印刷位置を、範囲指定部分Ａの基準点の印刷位置から範囲指定部分Ａの外接矩形の上下方向の長さに配置間隔Ｗを加えた長さだけ下側の位置に決定する。そして、得られた範囲指定部分Ｂの基準点の印刷位置から、範囲指定部分Ｂの外接矩形の左右長さだけ左側の位置を、範囲指定部分Ｂの外接矩形の左上頂点に対応する印刷位置として決定する。
【００５２】
次に、範囲指定部分Ｃの基準点の印刷位置を、範囲指定部分Ｂの基準点の印刷位置から範囲指定部分Ｂの外接矩形の上下方向の長さに配置間隔Ｗを加えた長さだけ下側の位置に決定する。そして、得られた範囲指定部分Ｃの基準点の印刷位置から、範囲指定部分Ｃの外接矩形の左右長さだけ左側の位置を、範囲指定部分Ｃの外接矩形の左上頂点に対応する印刷位置として決定する。
【００５３】
２枚目の記録紙に印刷される範囲指定部分Ｄ，Ｅの印刷位置についても、同様にして決定される。
【００５４】
なお、上記ステップＳ１６では、上記ステップＳ６で生成された画像（範囲指定部分以外の部分を白画像に置き換えた画像）から、各範囲指定部分の外接矩形で規定される領域（矩形領域）を抽出し、抽出した各矩形領域を上記ステップＳ１５によって決定された対応する印刷頁の対応する印刷位置に印刷する。
【００５５】
上記ステップＳ６で生成された画像が例えば、図３に示すような画像Ｇであるとすると、右づめモードで切り抜き複写を行ったときには、図５にＰ１で示すような１頁の印刷結果と、図５にＰ２で示すような２頁の印刷結果とが得られる。
【図面の簡単な説明】
【００５６】
【図１】デジタル複写機の概略構成を示すブロック図である。
【図２】切り抜き複写モード時の複写機の動作を示すフローチャートである。
【図３】左づめモードでの印刷位置決定処理を説明するための模式図である。
【図４】センターモードでの印刷位置決定処理を説明するための模式図である。
【図５】右づめモードでの印刷位置決定処理を説明するための模式図である。
【符号の説明】
【００５７】
１０  スキャナ部
２０  制御部
３０  ハードディスク（ＨＤＤ）
４０  画像形成部
５０  ユーザ操作部
【図１】
2006180425.tif 000003
【図２】
2006180425.tif 000004
【図３】
2006180425.tif 000005
【図４】
2006180425.tif 000006
【図５】
2006180425.tif 000007